(57)【要約】【課題】印字合成を行う場合、印字データの圧縮コードから印字データのエッジ抽出をおこない、抽出された印字データのエッジ／非エッジ信号と原稿画像の像域分離信号の選択および合成を行うことで、後段の画像処理、特に中間調処理に画像データに対して適切な像域分離データを与えることが可能な画像処理装置を提供する。【解決手段】この画像処理装置は、スキャナ２０１、シェーディング補正処理部２０２、ＲＧＢγ補正処理部２０３，像域分離処理部２０４、フィルター処理部２０５、下地除去処理部２０６、色補正処理部２０７、変倍処理部２０８、圧縮処理部２０９、伸長処理部２１０、プリンタγ処理部２１１、中間調処理部２１２、プリンタ２１３、コントローラＩ／Ｆ２２０、画像合成処理部２２２、大容量記憶装置２２１、エッジ検出部２２３により構成される。【選択図】      図１
2004242102.tif 000002
【特許請求の範囲】
【請求項１】
原稿画像を光学的に走査してデジタル信号に変換する画像読取り手段と、該画像読取り手段から入力された画像データの領域を判定して複数の像域に分離する像域分離手段と、前記画像読取り手段より入力された画像データを前記像域分離手段により生成された像域分離データに基づいて画像処理を施す画像処理手段と、該画像処理手段により画像処理が施された画像データと前記像域分離データを圧縮する圧縮手段と、該圧縮手段により圧縮された画像データおよび像域分離データを蓄積する蓄積手段と、圧縮した画像データと印字データを画像合成する画像合成手段と、前記圧縮手段により圧縮された画像データを伸長する伸長手段とを備えた画像処理装置において、
前記圧縮手段により生成された圧縮コードを利用して前記印字データのエッジ検出を行うエッジ検出手段を更に備え、
前記画像合成手段は、前記圧縮手段により圧縮された像域分離データと前記エッジ検出手段により検出された印字データのエッジデータを合成する分離合成手段と、前記印字データと前記圧縮手段により圧縮された画像データを合成する画像データ合成手段とを備え、前記伸長手段により伸長された画像データに対して前記分離合成手段により再生成された分離合成データにより画像処理を施すことを特徴とする画像処理装置。
【請求項２】
前記圧縮手段は、多値画像を任意の大きさの矩形ブロック領域に分割し、該矩形ブロック領域単位に前記多値画像を変換係数に変換する画像変換手段と、該画像変換手段により変換された変換係数から符号化のモード分けを行う符号化モード制御部と、該符号化モード制御部の結果を符号化する符号化部とを備え、
前記符号化モード制御部は前記画像変換手段から得られた変換係数からエッジ成分が存在するか否かを判別し、該判別結果に基づいて前記符号化部により符号化を行うことを特徴とする請求項１に記載の画像処理装置。
【請求項３】
前記印字データのエッジ検出を行うエッジ検出手段は、前記画像変換手段から得られた変換係数を所定の閾値により判定して画像のエッジ若しくは非エッジを検出することを特徴とする請求項１に記載の画像処理装置。
【請求項４】
前記圧縮データのエッジ若しくは非エッジを検出するエッジ検出手段に、前記圧縮手段の圧縮コードを用いることを特徴とする請求項１又は３に記載の画像処理装置。
【請求項５】
前記符号化モード制御部は、前記画像変換手段から得られた変換係数の前記矩形ブロック領域内の垂直成分をＨＬ、水平成分をＬＨ、斜め成分をＨＨ、前記所定の閾値をＴｈとした場合、ＨＬ＞ＴｈまたはＬＨ＞ＴｈまたはＨＨ＞Ｔｈの何れかの条件を満足した場合、画像にエッジ成分が存在すると判定し、前記条件以外の場合は、画像にエッジ成分が存在しないと判定することを特徴とする請求項１又は３に記載の画像処理装置。
【発明の詳細な説明】
【０００１】
【発明の属する技術分野】
本発明は、画像処理装置に関し、さらに詳しくは、画像データと印字データの合成方法に関するものである。
【０００２】
【従来の技術】
近年、画像データをデジタル信号として扱うカラーデジタル複写機が普及している。このようなデジタル複写機では画像をデジタル信号として取り扱うため、メモリに画像を蓄積することが可能である。ただし、カラー画像データの情報量は非常に大きく、そのまま蓄積するとメモリ容量が増大し大幅なコスト高になってしまう。このことから、一般的にカラー画像データはそのまま蓄積するのではなく、画像を一度符号化してデータ量を圧縮することにより必要なメモリ容量を削減してコストを抑えている。また蓄積された画像データはＪＰＥＧやＴＩＦＦなどの汎用フォーマットに変換され配信等がおこなわれる。このため、プリンタの特性に応じて設計がなされるプリンタγ補正や中間調処理を、画像データに施す前に画像データの圧縮をおこない大容量記憶装置に蓄積される。
通常、デジタル複写機のプリンタγ補正や中間調処理では、文字や図形が混在した原稿の画質向上を図るため、網点写真領域、文字領域、色領域、白背景領域などの像域分離により得られた分離データに応じて処理を施すことで画質改善をおこなっている。しかし、前述したようにプリンタγ補正や中間調処理の前に画像データは圧縮され蓄積される。このため、伸長後にプリンタγ補正や中間調処理を、分離データに応じて処理をおこなえるよう、分離データも大容量記憶装置に蓄積されている。
また特許第３１３４７５６号では、圧縮前の画像処理には第１の像域分離データを使用して画像処理をおこない、伸長後の画像処理には伸長後の画像データからエッジ検出処理をおこないエッジ量を第２の像域分離データとして中間調処理など、伸長後の画像処理に使用している。
【０００３】
図６は従来の画像処理装置のブロック図である。この画像処理装置は、スキャナ１０１、シェーディング補正処理部１０２、ＲＧＢγ補正処理部１０３、像域分離処理部１０４、フィルタ処理部１０５、下地除去処理部１０６、色補正処理部１０７、変倍処理部１０８、圧縮処理部１０９、伸長処理部１１０、プリンタγ処理部１１１、中間調処理部１１２、プリンタ１１３、コントローラＩ／Ｆ１２０、画像合成処理部１２２、大容量記憶装置１２１により構成される。
複写すべき原稿は、カラースキャナ１０１によりＲ、Ｇ、Ｂに色分解されて読み取られる。シェーディング補正処理部１０２では、撮像素子のムラ、光源の照明ムラなどが補正される。ＲＧＢγ補正処理部１０３では、スキャナ１０１からの読取り信号が反射率データから明度データに変換される。像域分離処理部１０４では、文字部と写真部の判定、及び有彩色、無彩色判定が行われる。フィルタ処理部１０５では、シャープな画像やソフトな画像など、使用者の好みに応じてエッジ強調や平滑化等、画像信号の周波数特性を変更する処理が行われる。下地除去処理部１０６では、紙などの白レベルを検出してスキャナの濃度ムラなどが補正される。色補正処理部１０７は、入力系の色分解特性と出力系の色材の分光特性の違いを補正し、忠実な色再現に必要な色材ＣＭＹＫの量を計算する色補正処理部とＵＣＲ（下色除去）からなる。変倍処理部１０８は、縦横変倍が行われる。圧縮処理部１０９では、画像データの各版（Ｃ、Ｍ、Ｙ、Ｋ＝８ｂｉｔ）を４ｘ４画素にブロック化をおこない画像圧縮される。圧縮された画像データと分離データはコントローラＩ／Ｆ１２０を介して大容量記憶装置１２１に蓄積される。コントローラＩ／Ｆは、ＬＡＮなどのネットワークにも接続しており、ＰＣとの接続や画像の送受信も可能となっている。
【０００４】
画像合成処理部１２２は、蓄積された画像データと印字データの合成を圧縮された状態で行う。印字データは、画像データ同様スキャナ１０１から読取った画像データに同様の処理をおこない蓄積した画像データや、ＰＣ上で作成した画像データをコントローラＩ／Ｆ１２０よりネットワークを介して蓄積された画像である。伸長処理部１１０では、コントローラＩ／Ｆ１２０より受信した画像データを圧縮コードにより伸長する。プリンタγ処理部１１１では、コントローラＩ／Ｆ１２０から受信した分離データにより制御され、プリンターの特性に応じた画像データの補正が行われる。中間調処理部１１２では、分離信号に応じたディザ処理またはパターン処理が行われてプリンタ１１３に出力される。
【特許文献１】特許第３１３４７５６号
【０００５】
【発明が解決しようとする課題】
このように上述のカラーデジタル複写機のシステムにおいては、スタンプなどの印字データを画像データに合成する場合、大容量のメモリを画像データ圧縮後に保有し、圧縮後の画像データに対して印字合成がおこなわれている。このため画像合成をおこなった場合、合成部分に対して伸長後、画像データと共に蓄積された分離データによって中間調処理を行うと、印字データ部分の処理が印字合成前の画像データの処理でおこなわれてしまうため、最適な処理がされないといった不具合があった。
また、印字部分に対しては分離データを固定にして中間調処理を文字あるいは写真処理に固定しておこなっているが、中間調処理が固定処理になってしまうため印字合成をおこなった場合に、最適な画像処理を行うことができないといった問題がある。
また特許文献１の方式であれば、伸長後の印字部分にもエッジ量を分離データとして中間調処理を制御することは可能であるが、エッジ検出処理は各版（Ｃ、Ｍ、Ｙ、Ｋ）を独立に処理を行うため、像域分離処理としては誤判定をしやすく原画像領域まで影響が出てしまうといった問題がある。
また図６の従来の画像処理装置では、像域分離処理部１０４は合成処理部１２２より前にあるため、図７に示すように原稿画像データ７０１に対して印字データ７０２を合成した合成画像７０３の中間調処理は、原稿画像の分離データを用いると印字部分は写真領域で処理がなされてしまといった不具合があった。また、原稿の文字上に写真画像を合成する場合なども問題となる。このため、合成処理を行う場合は、分離データを文字か写真の固定値として処理がなされている。本発明は、かかる課題に鑑み、印字合成を行う場合、印字データの圧縮コードから印字データのエッジ抽出をおこない、抽出された印字データのエッジ／非エッジ信号と原稿画像の像域分離信号の選択および合成を行うことで、後段の画像処理、特に中間調処理に画像データに対して適切な像域分離データを与えることが可能な画像処理装置を提供することを目的する。
【０００６】
【課題を解決するための手段】
本発明はかかる課題を解決するために、請求項１は、  原稿画像を光学的に走査してデジタル信号に変換する画像読取り手段と、該画像読取り手段から入力された画像データの領域を判定して複数の像域に分離する像域分離手段と、前記画像読取り手段より入力された画像データを前記像域分離手段により生成された像域分離データに基づいて画像処理を施す画像処理手段と、該画像処理手段により画像処理が施された画像データと前記像域分離データを圧縮する圧縮手段と、該圧縮手段により圧縮された画像データおよび像域分離データを蓄積する蓄積手段と、圧縮した画像データと印字データを画像合成する画像合成手段と、前記圧縮手段により圧縮された画像データを伸長する伸長手段とを備えた画像処理装置において、前記圧縮手段により生成された圧縮コードを利用して前記印字データのエッジ検出を行うエッジ検出手段を更に備え、前記画像合成手段は、前記圧縮手段により圧縮された像域分離データと前記エッジ検出手段により検出された印字データのエッジデータを合成する分離合成手段と、前記印字データと前記圧縮手段により圧縮された画像データを合成する画像データ合成手段とを備え、前記伸長手段により伸長された画像データに対して前記分離合成手段により再生成された分離合成データにより画像処理を施すことを特徴とする。
本発明は従来の画像読取り手段、像域分離手段、画像処理手段、圧縮手段、蓄積手段、画像合成手段及び伸長手段とを備えた画像処理装置において、エッジ検出手段を更に備え、このエッジ検出手段を画像合成手段の前に備えることにより、画像データと印字データを合成した画像合成データと、印字エッジデータと画像分離データを合成した分離合成データとを再生成して伸張データを画像処理するものである。
かかる発明によれば、第１の像域分離処理をおこなった後に、画像合成のような領域判定結果と画像データが合致しなくなる処理をおこなった場合に、改めて像域分離処理を施すので、後段の画像処理手段に的確な像域分離信号を提供することができる。
【０００７】
請求項２は、前記圧縮手段は、多値画像を任意の大きさの矩形ブロック領域に分割し、該矩形ブロック領域単位に前記多値画像を変換係数に変換する画像変換手段と、該画像変換手段により変換された変換係数から符号化のモード分けを行う符号化モード制御部と、該符号化モード制御部の結果を符号化する符号化部とを備え、前記符号化モード制御部は前記画像変換手段から得られた変換係数からエッジ成分が存在するか否かを判別し、該判別結果に基づいて前記符号化部により符号化を行うことを特徴とする。
本発明の圧縮手段は、画像変換手段と符号化モード制御部と符号化部により構成される。画像変換手段は例えばＷａｖｅｌｅｔ変換を用い、画像情報を矩形ブロック領域単位に変換係数に変換する。この変換された係数に基づいてエッジ成分が存在するか否かを判別して符号化を行うものである。
かかる発明によれば、画像データにエッジ成分が存在するか否かを判別して符号化を行うので、符号化を行う上でエッジ情報の傾き方向性をできる限り保存することができる。
請求項３は、前記印字データのエッジ検出を行うエッジ検出手段は、前記画像変換手段から得られた変換係数を所定の閾値により判定して画像のエッジ若しくは非エッジを検出することを特徴とする。
画像のエッジは画像変換手段により変換係数に変換される。この変換係数は所定の閾値に比べて大きいか、小さいかにより画像にエッジが存在するか否かが判断される。
かかる発明によれば、変換係数を所定の閾値により判定して画像のエッジ若しくは非エッジを検出するので、容易に画像の特徴を判定することができる。
請求項４は、前記圧縮データのエッジ若しくは非エッジを検出するエッジ検出手段に、前記圧縮手段の圧縮コードを用いることを特徴とする。
画像合成を行う場合、エッジ検出手段に圧縮された印字データが入力される。圧縮された印字データはモードに対応したコードが符号化されている。このため、圧縮コードからモードに対応したエッジブロックに対してエッジ信号を出力する。
かかる発明によれば、圧縮コードにはエッジ情報が符号化され保存されているので、回路の規模を最小減に抑え容易にエッジ検出を行うことができる。
【０００８】
請求項５は、前記符号化モード制御部は、前記画像変換手段から得られた変換係数の前記矩形ブロック領域内の垂直成分をＨＬ、水平成分をＬＨ、斜め成分をＨＨ、前記所定の閾値をＴｈとした場合、ＨＬ＞ＴｈまたはＬＨ＞ＴｈまたはＨＨ＞Ｔｈの何れかの条件を満足した場合、画像にエッジ成分が存在すると判定し、前記条件以外の場合は、画像にエッジ成分が存在しないと判定することを特徴とする。
ブロック化された画像情報は、例えば２５６種類の多値データである。その多値データは所定のアルゴリズムにより演算されて変換係数として出力される。その変換係数を所定の閾値で判定して１／０のパターンに変換し、そのパターンが各モードに対応してコード化されて出力される。
かかる発明によれば、各成分の変換係数が所定の閾値により、各パターンに変換されるので、そのパターンに対応したモードの符号化コードを発生することができる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る画像処理装置のブロック図である。この画像処理装置は、スキャナ２０１、シェーディング補正処理部２０２、ＲＧＢγ補正処理部２０３、像域分離処理部２０４、フィルター処理部２０５、下地除去処理部２０６、色補正処理部２０７、変倍処理部２０８、圧縮処理部２０９、伸長処理部２１０、プリンタγ処理部２１１、中間調処理部２１２、プリンタ２１３、コントローラＩ／Ｆ２２０、画像合成処理部２２２、大容量記憶装置２２１、エッジ検出部２２３により構成される。
複写すべき原稿は、カラースキャナ２０１によりＲ、Ｇ、Ｂに色分解されて読み取られる。シェーディング補正処理部２０２では、撮像素子のムラ、光源の照明ムラなどが補正される。ＲＧＢγ補正処理部２０３では、スキャナ２０１からの読取り信号が反射率データから明度データに変換される。像域分離処理部２０４では、文字部と写真部の判定、及び有彩色、無彩色判定が行われる。フィルタ処理部２０５では、シャープな画像やソフトな画像など、使用者の好みに応じてエッジ強調や平滑化等、画像信号の周波数特性を変更する処理が行われる。下地除去処理部２０６では、紙などの白レベルを検出してスキャナの濃度ムラなどが補正される。色補正処理部２０７は、入力系の色分解特性と出力系の色材の分光特性の違いを補正し、忠実な色再現に必要な色材ＣＭＹＫの量を計算する色補正処理部とＵＣＲ（下色除去）からなる。変倍処理部２０８は、縦横変倍が行われる。圧縮処理部２０９では、画像データの各版（Ｃ、Ｍ、Ｙ、Ｋ＝８ｂｉｔ）を４ｘ４画素にブロック化をおこない画像圧縮される。圧縮された画像データと分離データはコントローラＩ／Ｆ２２０を介して大容量記憶装置２２１に蓄積される。コントローラＩ／Ｆは、ＬＡＮなどのネットワークにも接続しており、ＰＣとの接続や画像の送受信も可能となっている。
また画像合成処理部２２２は、エッジ検出処理部２２３により生成された印字データ２３６のエッジ／非エッジデータ２３７が追加入力される。エッジ検出処理部２２３は圧縮処理部２０９で生成される圧縮コードを利用してエッジ検出を行う。圧縮処理部２０９に関しては、例えば、特開２００１−２８５６４６に記載の圧縮処理を用いる。伸長処理部２１０では、コントローラＩ／Ｆ２２０より受信した画像データを圧縮コードにより伸長する。プリンタγ処理部２１１では、コントローラＩ／Ｆ２２０から受信した分離データにより制御され、プリンタの特性に応じた画像データの補正が行われる。中間調処理部２１２では、分離信号に応じたディザ処理またはパターン処理が行われてプリンタ２１３に出力される。
【００１０】
図２は、図１の圧縮処理部２０９を示したブロック図である。図２において、Ｗａｖｅｌｅｔ変換回路３０１は２ｘ２画素を対象としてＷａｖｅｌｅｔ変関係数を演算する。符号化モード制御回路３０２では前記Ｗａｖｅｌｅｔ変換係数から符号化のモード分けを行い、符号化部３０３では、符号化モード制御回路３０２の結果を符号化する。
【００１１】
図３は、図２のＷａｖｅｌｅｔ変換回路３０１の動作を説明する図である。  図３（ａ）はブロック化された２ｘ２画素の画像情報を表し、例えば、ａ〜ｄは２５６種類の値を持つ多値データである。図３（ｂ）は２ｘ２画素に対応したＷａｖｅｌｅｔ変換係数のテーブルである。このテーブルにはＬＬ、ＨＬ、ＬＨ、ＨＨの変換係数があり、それぞれ下記の式から導かれる。
ＬＬ＝（ａ＋ｂ＋ｃ＋ｄ）／４、ＨＬ＝（ａ−ｂ）／２＋（ｃ−ｄ）／２、
ＬＨ＝（ａ＋ｂ）／２−（ｃ＋ｄ）／２、ＨＨ＝（ａ−ｂ）−（ｃ−ｄ）
ここでＬＬは低域通過フィルタとしては変換単位内の画素平均を示す。また、ＨＬ、ＬＨ、ＨＨは高域通過フィルタとして変換単位内の画素の最大値と最小値の差を方向を考慮して出力し、ＨＬはブロック内垂直成分を、ＬＨはブロック内水平成分を、ＨＨはブロック内斜め成分の強度を示す。またＷａｖｅｌｅｔ変換は２ｘ２画素を対象として行われるが、符号化は４ｘ４画素単位となるため２ｘ２に分割した４ブロックに対して処理を行う。そして符号化モード制御回路３０２はＷａｖｅｌｅｔ変換回路３０１から得られたＷａｖｅｌｅｔ変換係数から、エッジ成分が存在するかどうかで判別する。判定は２ｘ２画素のブロックで行われ、Ｗａｖｅｌｅｔ変換係数を閾値Ｔｈ０により判定する。つまり、ＨＬ＞Ｔｈ０またはＬＨ＞Ｔｈ０またはＨＨ＞Ｔｈ０のときは、判定はエッジが存在する。それ以外は非エッジと判定する。
例えば、図３（ａ）はブロック化された２ｘ２画素の画像情報がａ＝１００、ｂ＝２５０、ｃ＝５０、ｄ＝１５０とすると、上記の式に当てはめると、
ＬＬ＝（１００＋２５０＋５０＋１５０）／４＝１３８、
ＨＬ＝（１００−２５０）／２＋（５０−１５０）／２＝−２５
ＬＨ＝（１００＋２５０）／２−（５０＋１５０）／２＝１２５
ＨＨ＝（１００−２５０）−（５０−１５０）＝−５０
となる。
【００１２】
図４は、１６通りのモードを表す図である。ここでは２ｘ２のブロックが４ブロックあるためモード分けは１６通りで行われる。符号化回路３０３は、符号化モード制御回路３０２の結果からエッジブロックか非エッジブロックかで処理をおこない、非エッジブロックではＬＬ成分を符号とし、エッジブロックでは最大最小平均近似法で符号化を行う。例えば、前記の変換係数の場合、閾値Ｔｈ０を１００として判定すると、ＬＨ以外は０となり、パターンとして図４のｍｏｄｅ＝４になる。これが符号化部３０３により符号化されて出力される。
また大容量記憶装置２２１に蓄積されている印字データは、画像データ同様スキャナ２０１から読取った画像データに同様の処理をおこない蓄積した画像データや、ＰＣ上で作成した画像データをコントローラＩ／Ｆ２２０よりネットワークを介して蓄積された画像であり、蓄積されるさい画像と同様の圧縮処理がなされている。図１において画像合成を行う場合、エッジ検出回路２２３に圧縮された印字データ２３５が入力される。圧縮された印字データ２３５は図４に示すモードに対応したコードが符号化されている。このため、圧縮コードから図４に示すモードに対応したエッジブロックに対してエッジ信号を出力する。
【００１３】
図５は図１の画像合成処理部２２２のブロック図である。画像印字合成処理例えばＯＲ処理は、画像合成回路６０１において原稿画像データ６０３（図１の２３３に対応）と印字データ６０４（図１の２３６に対応）の濃度情報の大きい値が選択され、画像合成データ６０５（図１の２７７に対応）として出力される。同様に分離合成回路６０２において原稿画像の分離データ６０６（図１の２３４に対応）と前記エッジ検出回路２２３により検出された印字データ６０７（図１の２３７に対応）のエッジデータのＯＲ処理を行い、分離合成データ６０９（図１の２３８に対応）として出力される。このとき、原稿画像データの濃度が閾値Ｔｈ１より大きい場合は原稿分離データを優先する。尚、画像合成処理にはＯＲ処理以外にもＡＮＤ、ＥＸＯＲ処理などがあり分離信号選択回路６０２も同様の処理がなされる。前記のように印字データのエッジデータを分離信号に合成することで画像合成領域の分離信号を合成画像に適切な分離信号として扱うことができる。
【００１４】
【発明の効果】
以上記載のごとく請求項１の発明によれば、第１の像域分離処理をおこなった後に、画像合成のような領域判定結果と画像データが合致しなくなる処理をおこなった場合に、改めて像域分離処理を施すので、後段の画像処理手段に的確な像域分離信号を提供することができる。
また請求項２では、画像データにエッジ成分が存在するか否かを判別して符号化を行うので、符号化を行う上でエッジ情報の傾き方向性をできる限り保存することができる。
また請求項３では、変換係数を所定の閾値により判定して画像のエッジ若しくは非エッジを検出するので、容易に画像の特徴を判定することができる。
また請求項４では、圧縮コードにはエッジ情報が符号化され保存されているので、回路の規模を最小減に抑え容易にエッジ検出を行うことができる。
また請求項５では、各成分の変換係数が所定の閾値により、各パターンに変換されるので、そのパターンに対応したモードの符号化コードを発生することができる。
【図面の簡単な説明】
【図１】本発明の一実施形態に係る画像処理装置のブロック図である。
【図２】本発明の図１の圧縮処理部２０９を示したブロック図である。
【図３】本発明の図２のＷａｖｅｌｅｔ変換回路３０１の動作を説明する図である。
【図４】本発明の１６通りのモードを表す図である。
【図５】本発明の図１の画像合成処理部２２２のブロック図である。
【図６】従来の画像処理装置のブロック図である。
【図７】原稿画像データ７０１に対して印字データ７０２を合成した合成画像７０３の図である。
【符号の説明】
２０１  スキャナ、２０２  シェーディング補正処理部、２０３  ＲＧＢγ補正処理部、２０４  像域分離処理部、２０５  フィルタ処理部、２０６  下地除去処理部、２０７  色補正処理部、２０８  変倍処理部、２０９  圧縮処理部、２１０  伸長処理部、２１１  プリンタγ処理部、２１２  中間調処理部、２１３  プリンタ、２２０  コントローラＩ／Ｆ、２２２  画像合成処理部、２２１大容量記憶装置、２２３  エッジ検出部
【図１】
2004242102.tif 000003
【図２】
2004242102.tif 000004
【図３】
2004242102.tif 000005
【図４】
2004242102.tif 000006
【図５】
2004242102.tif 000007
【図６】
2004242102.tif 000008
【図７】
2004242102.tif 000009